(57)【要約】【課題】  互いに通信可能な通信装置間において、一方の通信装置が、他方の通信装置に付与すべきＩＰアドレスを、他方の通信装置に送信せずに、両方の通信装置が、同一のサーバから受信されるＩＰアドレスを、通信装置に設定し得る技術を提供する。【解決手段】  ＭＦＰ１０は、インフラストラクチャモードである状態で、ＡＰ６とルータ９のそれぞれから、ＭＦＰ１０に付与するための候補ＩＰアドレスと、アドレス情報と、を受信する。ＭＦＰ１０は、ルータ９から受信された候補ＩＰアドレスを、ＭＦＰ１０に付与するＩＰアドレスとして、メモリに格納する。ＭＦＰ１０は、ルータ９から受信されたルータ９のアドレス情報を、メモリに格納する。ＭＦＰ１０は、アドホックモードで、メモリ内のルータ９のアドレス情報を、通話デバイス７０に送信する。【選択図】  図４
2014072655.tif 000002
【特許請求の範囲】
【請求項１】
第１の通信経路を介して、他の通信装置にＩＰアドレスを提供するための複数のサーバと通信可能であって、前記第１の通信経路と異なる第２の通信経路を介して、特定の通信装置と通信可能である、通信装置であって、
前記第１の通信経路を介して、前記複数のサーバのそれぞれから、当該サーバに関係するアドレス情報と、前記通信装置に付与するためのＩＰアドレスと、を受信する第１の通信部と、
前記複数のサーバのうちの１つのサーバから受信される特定のアドレス情報を、メモリに格納する記憶制御部であって、前記１つのサーバから受信される特定のＩＰアドレスを、前記通信装置に付与するＩＰアドレスとして前記メモリに格納する前記記憶制御部と、
前記第２の通信経路を介して、前記メモリ内の前記特定のアドレス情報を、前記通信装置と異なる前記特定の通信装置に送信する第２の通信部と、を備える通信装置。
【請求項２】
前記特定のアドレス情報は、前記１つのサーバに固有に付与されているアドレスを含む、請求項１に記載の通信装置。
【請求項３】
前記第１の通信経路を介して前記複数のサーバと通信可能であると共に、前記第２の通信経路を介して前記特定の通信装置と通信可能でない第１の通信状態と、前記第２の通信経路を介して前記特定の通信装置と通信可能であると共に、前記第１の通信経路を介して前記複数のサーバと通信可能でない第２の通信状態と、のいずれかに、前記通信装置の状態を切り替える切替部を、さらに備え、
前記切替部は、前記第１の通信経路を介して、前記１つのサーバから前記特定のアドレス情報が受信された後に、前記通信装置の状態を、前記第１の通信状態から前記第２の通信状態に切り替え、
前記第２の通信部は、前記通信装置の状態が前記第２の通信状態に切り替えられた後に、前記第２の通信経路を介して、前記特定のアドレス情報を、前記特定の通信装置に送信する、請求項１又は２に記載の通信装置。
【請求項４】
前記切替部は、前記特定のアドレス情報が送信された後に、前記通信装置の状態を、前記第２の通信状態から前記第１の通信状態に切り替え、
前記第１の通信部は、前記通信装置の状態が前記第１の通信状態に切り替えられた後に、前記通信装置が前記特定のＩＰアドレスを付与されたことを示す情報を、前記第１の通信経路を介して、前記１つのサーバに送信する、請求項３に記載の通信装置。
【請求項５】
前記第２の通信部は、前記特定のアドレス情報を、前記特定の通信装置に送信する際に、前記特定の通信装置が、アクセスポイントと無線通信を実行するための設定情報を、前記特定の通信装置に送信し、
前記切替部は、前記特定のアドレス情報と前記設定情報とが送信された後に、前記通信装置の状態を、前記第２の通信状態から前記第１の通信状態に切り替える、請求項３又は４に記載の通信装置。
【請求項６】
前記第１の通信部は、前記アドレス情報を送信させるための信号を、前記複数のサーバに送信し、
前記記憶制御部は、前記信号が送信された後に前記複数のサーバのそれぞれからの受信される前記アドレス情報のうち、最初に受信されるアドレス情報を、前記特定のアドレス情報として、前記メモリに格納させる、請求項１から５のいずれか一項に記載の通信装置。
【請求項７】
第１の通信経路を介して、他の通信装置にＩＰアドレスを提供するための複数のサーバと通信可能であって、前記第１の通信経路と異なる第２の通信経路を介して、特定の通信装置と通信可能である、通信装置のためのコンピュータプログラムであって、
前記コンピュータプログラムは、前記通信装置に、
前記第１の通信経路を介して、前記複数のサーバのそれぞれから、当該サーバに関係するアドレス情報と、前記通信装置に付与するためのＩＰアドレスと、を受信する第１の通信処理と、
前記複数のサーバのうちの１つのサーバから受信される特定のアドレス情報を、メモリに格納する記憶制御処理であって、前記１つのサーバから受信される第１のＩＰアドレスを、前記通信装置に付与するＩＰアドレスとして前記メモリに格納する前記記憶制御処理と、
前記第２の通信経路を介して、前記メモリ内の前記特定のアドレス情報を、前記通信装置と異なる特定の通信装置に送信する第２の通信処理と、を備えるコンピュータプログラム。
【請求項８】
第１の通信経路を介して、他の通信装置にＩＰアドレスを提供するための複数のサーバと通信可能であって、前記第１の通信経路と異なる第２の通信経路を介して、特定の通信装置と通信可能である通信装置であって、
前記第１の通信経路を介して、前記複数のサーバのそれぞれから、当該サーバに関係するアドレス情報と、前記通信装置に付与するためのＩＰアドレスと、を受信する第１の通信部と、
前記第２の通信経路を介して、特定の通信装置から、前記複数のサーバのうちの１つのサーバに関係する特定のアドレス情報を受信する第２の通信部と、
前記特定のアドレス情報と、前記複数のサーバのそれぞれから受信されるアドレス情報と、を用いて、前記複数のサーバから受信されるＩＰアドレスのうち、前記特定のアドレス情報に関係する前記１つのサーバから受信されるＩＰアドレスを、前記通信装置に付与するＩＰアドレスとしてメモリに格納する記憶制御部と、を備える通信装置。
【請求項９】
前記第１の通信経路を介して前記複数のサーバと通信可能であると共に、前記第２の通信経路を介して前記特定の通信装置と通信可能でない第１の通信状態と、前記第２の通信経路を介して前記特定の通信装置と通信可能であると共に、前記第１の通信経路を介して前記複数のサーバと通信可能でない第２の通信状態と、のいずれかに、前記通信装置の状態を切り替える切替部を、さらに備え、
前記切替部は、前記第２の通信経路を介して、前記特定の通信装置から、前記特定のアドレス情報が受信された後に、前記通信装置の状態を、前記第２の通信状態から前記第１の通信状態に切り替え、
前記第１の通信部は、前記通信装置の状態が前記第１の通信状態に切り替えられた後に、前記第１の通信経路を介して、前記複数のサーバのそれぞれから、前記ＩＰアドレスを受信する、請求項８に記載の通信装置。
【請求項１０】
前記複数のサーバのうちの第１のサーバから、前記通信装置に付与するための第１のＩＰアドレスが受信された後に、前記複数のサーバのうちの第２のサーバから、前記通信装置に付与するための第２のＩＰアドレスが受信される場合に、
前記記憶制御部は、
前記第１のサーバに関係するアドレス情報が前記特定のアドレス情報を含まず、かつ、前記第２のサーバに関係するアドレス情報が前記特定のアドレス情報を含む場合に、
前記２のＩＰアドレスを、前記通信装置に付与する前記ＩＰアドレスとして前記メモリに格納する、請求項８又は９に記載の通信装置。
【発明の詳細な説明】
【技術分野】
【０００１】
本明細書では、第１の通信経路と、第１の通信経路と異なる第２の通信経路と、のそれぞれを介した通信を実行可能である通信装置を開示する。
【背景技術】
【０００２】
特許文献１には、ＭＦＰ（Multi-Function Peripheralの略）及びＢＯＸに、ＩＰアドレスを設定する技術が開示されている。ＭＦＰは、第１のネットワークアドレスを有する第１のＩＰアドレスが、ＭＦＰに設定されると、第１のネットワークアドレスを有する第２のＩＰアドレスを、ＢＯＸのＩＰアドレスに設定する旨の命令を、ＢＯＸに送信する。これにより、ＭＦＰ及びＢＯＸには、同一の第１のネットワークアドレスを有するＩＰアドレスが設定される。
【先行技術文献】
【特許文献】
【０００３】
【特許文献１】特開２０１２−３４２４１号公報
【発明の概要】
【発明が解決しようとする課題】
【０００４】
本明細書では、一方の通信装置が、他方の通信装置に付与すべきＩＰアドレスを、他方の通信装置に送信しなくても、同一のサーバから、両方の通信装置に、ＩＰアドレスを適切に付与し得る技術を提供する。
【課題を解決するための手段】
【０００５】
本明細書では、通信装置が開示される。通信装置は、第１の通信経路を介して、他の通信装置にＩＰアドレスを提供するための複数のサーバと通信可能であって、第１の通信経路と異なる第２の通信経路を介して、特定の通信装置と通信可能である。通信装置は、第１の通信部と記憶制御部と第２の通信部とを備える。第１の通信部は、第１の通信経路を介して、複数のサーバのそれぞれから、当該サーバに関係するアドレス情報と、通信装置に付与するためのＩＰアドレスと、を受信する。記憶制御部は、複数のサーバのうちの１つのサーバから受信される特定のアドレス情報を、メモリに格納する。記憶制御部は、さらに、上記した１つのサーバから受信される特定のＩＰアドレスを、通信装置に付与するＩＰアドレスとしてメモリに格納する。第２の通信部は、第２の通信経路を介して、メモリ内の特定のアドレス情報を、通信装置と異なる特定の通信装置に送信する。
【０００６】
この構成によれば、通信装置は、通信装置に付与されるＩＰアドレスの送信元である上記した１つのサーバを、特定の通信装置に知らせることができる。この結果、特定の通信装置は、通信装置にＩＰアドレスを付与したサーバと同一のサーバから、ＩＰアドレスを取得し得る。これにより、同一のサーバから、両方の通信装置に、ＩＰアドレスを適切に付与し得る。
【０００７】
本明細書は、別の通信装置を開示する。この通信装置は、第１の通信経路を介して、他の通信装置にＩＰアドレスを提供するための複数のサーバと通信可能であって、第１の通信経路と異なる第２の通信経路を介して、特定の通信装置と通信可能である。通信装置は、第１の通信部と第２の通信部と記憶制御部とを備えていてもよい。第１の通信部は、第１の通信経路を介して、複数のサーバのそれぞれから、当該サーバに関係するアドレス情報と、通信装置に付与するためのＩＰアドレスと、を受信する。第２の通信部は、第２の通信経路を介して、特定の通信装置から、複数のサーバのうちの１つのサーバに関係する特定のアドレス情報を受信する。記憶制御部は、特定のアドレス情報と、複数のサーバのそれぞれから受信されるアドレス情報と、を用いて、複数のサーバから受信されるＩＰアドレスのうち、特定のアドレス情報に関係する上記した１つのサーバから受信されるＩＰアドレスを、通信装置に付与するＩＰアドレスとしてメモリに格納する。
【０００８】
この構成によれば、通信装置は、特定の通信装置に付与されるＩＰアドレスの送信元である上記した１つのサーバを特定することができる。このため、通信装置は、特定の通信装置にＩＰアドレスを付与したサーバから、ＩＰアドレスを取得し得る。これにより、同一のサーバから、両方の通信装置に、ＩＰアドレスを適切に付与し得る。
【０００９】
なお、上記の各通信装置を実現するための制御方法、コンピュータプログラム、及び、当該コンピュータプログラムを格納するコンピュータ読取可能記憶媒体も新規で有用である。また、上記の各通信装置を備える通信システムも新規で有用である。
【図面の簡単な説明】
【００１０】
【図１】無線通信システムの構成を示す。
【図２】ＭＦＰが実行する無線設定処理のフローチャートを示す。
【図３】通話デバイスが実行する無線設定処理のフローチャートを示す。
【図４】ＭＦＰと通話デバイスとが実行する無線設定処理のシーケンス図を示す。
【図５】図４の続きのシーケンス図を示す。
【発明を実施するための形態】
【００１１】
（無線通信システムの構成）
図１に示されるように、無線通信システム２は、ＡＰ６と、ＰＣ８と、ＦＡＸ通信システム７と、ＦＡＸ装置４と、ルータ９と、を備える。ＦＡＸ通信システム７は、ＭＦＰ１０と通話デバイス７０とを備える。ＭＦＰ１０及び通話デバイス７０は、ＡＰ６を介して、又は、ＡＰ６を介さずに、相互に無線通信を実行可能である。即ち、ＭＦＰ１０及び通話デバイス７０は、ＡＰ６を介するインフラストラクチャの無線通信、又は、ＡＰ６を介さないアドホックの無線通信を実行可能である。なお、本実施例では、ＩＥＥＥ（The Institute of Electrical and Electronics Engineers, Inc.の略）の８０２．１１の規格、及び、それに準ずる規格（例えば８０２．１１ａ，１１ｂ等）に基づいて、無線通信が実行される。従って、後述の設定情報ＷＳ１，ＷＳ２は、上記の規格に適合する設定情報である。なお、通話デバイス７０は、一般公衆回線網であるＰＳＴＮ（Public Switched Telephone Networkの略）５を介して、ＦＡＸ装置４との間で、ＦＡＸデータの通信を実行可能である。また、ＭＦＰ１０は、ＡＰ６を介して、ＰＣ８と無線通信を実行可能である。なお、本実施形態の場合、ＭＦＰ１０と通話デバイス７０とは、それぞれ単体では出荷されず、ＭＦＰ１０と通話デバイス７０とが共にペアリングされた状態で出荷されるものを想定している。
【００１２】
ＡＰ６は、無線通信の基地局であるアクセスポイント機能を有する。ＡＰ６は、さらに、ＡＰ６と無線通信を実行可能なデバイス（例えばＭＦＰ１０）に付与するためのＩＰアドレスを、デバイスに送信するＤＨＣＰ（Dynamic Host Configuration Protocolの略）サーバ機能を有する。ルータ９は、ネットワーク同士の通信を中継するルーティング機能を有する。ルータ９は、さらに、ルータ９と通信を実行可能なデバイス（例えばＭＦＰ１０）に付与するためのＩＰアドレスを、デバイスに送信するＤＨＣＰサーバ機能を有する。
【００１３】
即ち、無線通信システム２は、無線通信システム２内のデバイス、即ち、ＭＦＰ１０及び通話デバイス７０にＩＰアドレスを付与するための複数（本実施例では２個）のＤＨＣＰサーバを備える。例えば、ルータ９がＤＨＣＰサーバ機能を有することを知らないユーザが、ルータ９にＡＰ６を接続する場合に、無線通信システム２の状況が発生する。
【００１４】
（ＭＦＰ１０の構成）
ＭＦＰ（「親機」と呼んでもよい）１０は、操作部１２と、表示部１４と、印刷実行部１６と、スキャン実行部１８と、無線インターフェース２０と、制御部３０と、を備える。操作部１２は、複数のキーを備える。ユーザは、操作部１２を操作することによって、様々な指示をＭＦＰ１０に入力することができる。表示部１４は、様々な情報を表示するためのディスプレイである。印刷実行部１６は、インクジェット方式、レーザ方式等の印刷機構である。スキャン実行部１８は、ＣＣＤ、ＣＩＳ等のスキャン機構である。無線インターフェース２０は、無線通信を実行するためのインターフェースである。
【００１５】
制御部３０は、ＣＰＵ３２と、ＮＶＲＡＭ（不揮発性メモリ）３４と、ＲＡＭ（揮発性メモリ）４０と、ＲＯＭ４３と、を備える。ＣＰＵ３２は、ＲＯＭ４３に格納されているプログラム４４に従って、様々な処理を実行する。ＣＰＵ３２がプログラム４４に従って処理を実行することによって、各部５２〜５８の機能が実現される。
【００１６】
ＮＶＲＡＭ３４は、指定設定格納領域３６と初期設定格納領域３８とアドレス情報格納領域３９とを備える。初期設定格納領域３８は、ＭＦＰ１０のベンダによって予め決められた設定情報（即ち、デフォルトの認証方式、デフォルトの暗号化方式、デフォルトのパスワード等）を格納するための記憶領域である。以下では、初期設定格納領域３８に格納される設定情報のことを「初期設定ＷＳ１」と呼ぶ。初期設定ＷＳ１は、ＭＦＰ１０の出荷段階において、ＭＦＰ１０に予め格納されている。初期設定ＷＳ１は、アクセスポイント６を介さない無線通信を実現するためのアドホックの無線設定情報である。
【００１７】
ユーザは、ＭＦＰ１０が初期設定ＷＳ１と異なる設定情報を利用して、無線通信を実行することを望む場合に、例えば、ＭＦＰ１０の操作部１２を操作して、ＭＦＰ１０が利用すべき設定情報（即ち、認証方式、暗号化方式、パスワード等）を指定することができる。以下では、ユーザによって指定されるＭＦＰ１０の設定情報のことを「指定設定ＷＳ２」と呼ぶ。指定設定格納領域３６は、指定設定ＷＳ２を格納するための記憶領域である。なお、本実施例では、指定設定ＷＳ２は、アクセスポイント６を介して無線通信を実現するためのインフラストラクチャの無線通信の設定情報である。従って、指定設定ＷＳ２は、アドホックの無線設定情報である初期設定ＷＳ１と異なる。
【００１８】
アドレス情報格納領域３９は、ＭＦＰ１０にＩＰアドレスを付与したＤＨＣＰサーバ（例えばＡＰ６，ルータ９）のＩＰアドレスを格納するための記憶領域である。アドレス情報格納領域３９は、ＤＨＣＰサーバから、ＭＦＰ１０に付与するためのＩＰアドレスと共に送信されるＤＨＣＰサーバのＩＰアドレスを格納する。
【００１９】
ＲＡＭ４０は、対象設定格納領域４２を備える。対象設定格納領域４２は、ＭＦＰ１０が無線通信を実行する際に、現在利用すべき設定情報を格納するための記憶領域である。ＭＦＰ１０が出荷されてから、ユーザによって指定設定ＷＳ２が指定されるまでの間、ＭＦＰ１０の電源がＯＮにされると、ＣＰＵ３２は、初期設定ＷＳ１を、初期設定格納領域３８から読み出して、対象設定格納領域４２に格納する。これにより、ＭＦＰ１０は、アドホックの無線設定情報を用いて、無線通信を実行することができる。ユーザによって指定設定ＷＳ２が指定された後には、ＭＦＰ１０の電源がＯＮにされると、通常、ＣＰＵ３２は、指定設定ＷＳ２を対象設定格納領域４２に格納する。これにより、ＭＦＰ１０は、インフラストラクチャの無線通信の設定情報を用いて、無線通信を実行することができる。
【００２０】
ＭＦＰ１０は、インフラストラクチャモードとアドホックモードの２種類のモードのいずれかのモードで無線通信を実行する。ＭＦＰ１０は、初期設定ＷＳ１が対象設定格納領域４２に格納されている場合に、アドホックモードで無線通信を実行可能であると共に、インフラストラクチャモードで無線通信を実行可能でない。一方、ＭＦＰ１０は、指定設定ＷＳ２が対象設定格納領域４２に格納されている場合に、インフラストラクチャモードで無線通信を実行可能であると共に、アドホックモードで無線通信を実行可能でない。
【００２１】
（通話デバイス７０の構成）
通話デバイス（「子機」と呼んでもよい）７０は、マイク７２と、スピーカ７４と、ＰＳＴＮインターフェース７６と、無線インターフェース７８と、制御部８０と、を備える。通話デバイス７０がマイク７２とスピーカ７４を備えるために、ユーザは、通話デバイス７０を用いて、ＰＳＴＮ５を介した電話通信を実行することができる。ＰＳＴＮインターフェース７６は、ＰＳＴＮ５に接続される。具体的には、ＰＳＴＮインターフェース７６には、ＰＳＴＮケーブルの一端が接続される。ＰＳＴＮケーブルの他端は、例えば、家庭内のＰＳＴＮ用ソケットに接続される。無線インターフェース７８は、無線通信を実行するためのインターフェースである。
【００２２】
制御部８０は、ＣＰＵ８２と、ＮＶＲＡＭ８４と、ＲＡＭ９０と、ＲＯＭ９４と、を備える。ＣＰＵ８２は、ＲＯＭ９４に格納されているプログラム９６に従って、様々な処理を実行する。ＣＰＵ８２がプログラム９６に従って処理を実行することによって、各部１０２〜１０８の機能が実現される。
【００２３】
ＮＶＲＡＭ８４は、指定設定格納領域８６と初期設定格納領域８８とを備える。初期設定格納領域８８は、ＭＦＰ１０と同じアドホックの無線通信の初期設定ＷＳ１を格納するための記憶領域である。初期設定ＷＳ１は、通話デバイス７０の出荷段階（即ちＭＦＰ１０の出荷段階）において、通話デバイス７０に予め格納されている。
【００２４】
指定設定格納領域８６は、指定設定ＷＳ２を格納するための記憶領域である。なお、本実施例では、指定設定ＷＳ２は、インフラストラクチャの無線通信の設定情報である。ＭＦＰ１０は、アドホックの無線通信を実行することによって、通話デバイス７０に、通話デバイス７０が利用すべき設定情報（即ち、認証方式、暗号化方式、パスワード等の指定設定ＷＳ２）を送信することができる。これにより、通話デバイス７０は、指定設定ＷＳ２を取得することができる。従って、指定設定格納領域８６は、指定設定ＷＳ２を格納することが可能である。なお、指定設定ＷＳ２は、アドホックの無線通信の初期設定ＷＳ１と異なる。
【００２５】
ＲＡＭ９０は、対象設定格納領域９２を備える。対象設定格納領域９２は、通話デバイス７０が現在利用すべき無線設定情報を格納するための記憶領域である。ＭＦＰ１０と共に通話デバイス７０が出荷されてから、指定設定ＷＳ２が指定設定格納領域８６に格納されるまでの間、制御部８０は、通話デバイス７０の電源がＯＮにされると、初期設定ＷＳ１を対象設定格納領域９２に格納する。これにより、通話デバイス７０は、アドホックの無線通信の設定情報を用いて、無線通信を実行することができる。指定設定ＷＳ２が格納された後には、通話デバイス７０の電源がＯＮにされると、通常、制御部８０は、指定設定ＷＳ２を対象設定格納領域９２に格納する。これにより、通話デバイス７０は、インフラストラクチャの無線通信の設定情報を用いて、無線通信を実行することができる。ＭＦＰ１０及び通話デバイス７０のそれぞれは、出荷段階において、自身の無線設定として初期設定ＷＳ１が設定されているため、相互に通信可能な状態となっている。
【００２６】
即ち、通話デバイス７０は、ＭＦＰ１０と同様に、インフラストラクチャモードとアドホックモードの２種類のモードのいずれかのモードで無線通信を実行する。初期設定ＷＳ１が対象設定格納領域９２に格納されている場合、通話デバイス７０は、アドホックモードで無線通信を実行可能であると共に、インフラストラクチャモードで無線通信を実行可能でない。指定設定ＷＳ２が対象設定格納領域９２に格納されている場合、ＭＦＰ１０は、インフラストラクチャモードで無線通信を実行可能であると共に、アドホックモードで無線通信を実行可能でない。
【００２７】
ＭＦＰ１０は、通話デバイス７０と協働して処理を実行することによって、ＭＦＰ１０が実現可能な複数の機能（例えばＦＡＸ機能、印刷機能）のうちの特定の機能（例えばＦＡＸ機能）が実現される。従って、通話デバイス７０は、通常、それ単体では出荷されず、ＭＦＰ１０と共に出荷される。即ち、通話デバイス７０は、ＭＦＰ１０の付属装置である。
【００２８】
（ＦＡＸ機能）
例えば、通話デバイス７０は、ＰＳＴＮインターフェース７６を介してＦＡＸデータを受信する場合に、無線通信を実行することによって、当該ＦＡＸデータをＭＦＰ１０に送信する。ＭＦＰ１０は、無線通信を実行することによって、通話デバイス７０から送信されるＦＡＸデータが、無線インターフェース２０で受信される場合に、当該ＦＡＸデータによって表わされる画像の印刷を印刷実行部１６に実行させる。これにより、ＦＡＸの受信動作が実行される。
【００２９】
また、ＭＦＰ１０は、スキャン実行部１８が原稿をスキャンすることによって生成されるＦＡＸデータを、無線通信を実行することによって、通話デバイス７０に送信する。通話デバイス７０は、ＭＦＰ１０から送信されるＦＡＸデータが、無線インターフェース７８で受信される場合に、ユーザによって予め指定された宛先に向けて、ＰＳＴＮ５を介して当該ＦＡＸデータを送信する。これにより、ＦＡＸの送信動作が実行される。
【００３０】
なお、ＭＦＰ１０は、ＰＳＴＮ５を介して受信したＦＡＸデータによって表わされる画像を印刷するための印刷実行部１６を備えているが、通話デバイス７０は、印刷実行部１６を備えていない。また、ＭＦＰ１０は、原稿をスキャンして、ＰＳＴＮ５を介して送信されるべきＦＡＸデータを生成するためのスキャン実行部１８を備えているが、通話デバイス７０は、スキャン実行部１８を備えていない。即ち、通話デバイス７０は、ＭＦＰ１０に代わってＰＳＴＮ５を介してＦＡＸデータを受信可能であると共に、ＭＦＰ１０に代わってＰＳＴＮ５を介してＦＡＸデータを送信可能である。
【００３１】
上述したように、通話デバイス７０は、印刷実行部１６及びスキャン実行部１８を備えていない。従って、通話デバイス７０は、ＭＦＰ１０と比べると、小さいサイズを有する。通常、家庭内では、ＰＳＴＮ用ソケットの位置が決められている。仮に、ＭＦＰ１０にＰＳＴＮケーブルを接続しなければならない構成を採用すると、ＰＳＴＮ用ソケットの近傍にＭＦＰ１０を配置する必要がある。ＭＦＰ１０は、比較的に大きいサイズを有するために、ＰＳＴＮ用ソケットの近傍にスペースが少ない環境では、ＰＳＴＮ用ソケットの近傍にＭＦＰ１０を配置するのが困難である。これに対し、本実施例では、比較的に小さいサイズを有する通話デバイス７０にＰＳＴＮインターフェース７６が設けられている。従って、ＰＳＴＮ用ソケットの近傍にスペースが少ない環境でも、ＰＳＴＮ用ソケットの近傍に通話デバイス７０を容易に配置して、通話デバイス７０をＰＳＴＮ５に接続することができる。さらに、ＭＦＰ１０をＰＳＴＮ用ソケットの近傍に限らずに配置することができる。
【００３２】
（ＭＦＰ１０の無線設定処理）
続いて、図２を参照して、ＭＦＰ１０がＡＰ６を介したインフラストラクチャの無線通信を実行するための、ＭＦＰ１０が実行する無線設定処理を説明する。ユーザは、ＭＦＰ１０と通話デバイス７０とを購入すると、ＭＦＰ１０と通話デバイス７０とを、例えば、家庭内に配置する。ユーザがＭＦＰ１０を電源ＯＮにすると、ＭＦＰ１０は、アドホックモードに設定される。具体的に言うと、切替部５８は、初期設定格納領域３８に格納されている初期設定ＷＳ１を、対象設定格納領域４２に格納させる。同様に、ユーザが通話デバイス７０の電源をＯＮにすると、通話デバイス７０は、アドホックモードに設定される。具体的に言うと、切替部１０８は、初期設定格納領域８８に格納されている初期設定ＷＳ１を、対象設定格納領域９２に格納させる。次いで、ＭＦＰ１０の第２の通信部５４は、通話デバイス７０とアドホックの無線通信を実行するために、初期設定ＷＳ１を利用して、通話デバイス７０と、接続確立処理を実行する。
【００３３】
具体的には、第２の通信部５４は、対象設定格納領域４２に格納されている初期設定ＷＳ１を含む接続要求を、通話デバイス７０に送信する。通話デバイス７０の第２の通信部１０４は、ＭＦＰ１０から接続要求が受信されると、接続要求に基づいて認証を実行する。この認証は、接続要求に含まれる認証方式及び暗号化方式が、対象設定格納領域９２に格納されている初期設定ＷＳ１に含まれる認証方式及び暗号化方式と一致するのか否かに関する判断を含む。なお、初期設定ＷＳ１は、ＭＦＰ１０と通話デバイス７０との両者に予め格納されているものであるため、通常、上記の認証は成功する。第２の通信部１０４は、認証成功を示す認証結果をＭＦＰ１０に送信する。接続確立処理は、接続要求の送信と、認証と、認証結果の送信と、を含む。第２の通信部５４は、通話デバイス７０から、認証結果を受信することを監視している。通話デバイス７０から認証結果が受信されると、ＭＦＰ１０と通話デバイス７０とは、アドホックの無線通信を実行可能となる。
【００３４】
この状況では、通話デバイス７０の第２の通信部１０４は、ＰＳＴＮ５を介して、外部装置（例えばＦＡＸ装置４）からＦＡＸデータを受信した場合、アドホックの無線通信を利用して（即ち初期設定ＷＳ１を利用して）、ＦＡＸデータを、ＭＦＰ１０に送信する。また、ＭＦＰ１０の制御部３０は、ユーザによる操作部１２の操作によってＦＡＸ送信指示が実行されると、スキャン実行部１８にセットされた原稿を読み取って、ＦＡＸデータを生成する。次いで、第２の通信部５４は、アドホックの無線通信を利用して（即ち初期設定ＷＳ１を利用して）、生成されたＦＡＸデータを、通話デバイス７０に送信する。続いて、通話デバイス７０の制御部８０は、ＰＳＴＮ５を介して、ＦＡＸデータを特定のデバイス（例えばＦＡＸ装置４）に送信する。
【００３５】
ここで、ＭＦＰ１０は、ユーザによって指定設定ＷＳ２が指定されると、ＡＰ６を介して、通話デバイス７０と、インフラストラクチャの無線通信を実行するための、ＭＦＰ１０が実行する無線設定処理を実行する。
【００３６】
Ｓ１０では、切替部５８は、ＭＦＰ１０を、アドホックモードからインフラストラクチャモードに切り替える。具体的には、切替部５８は、ユーザによって指定設定ＷＳ２が指定されることによって、指定設定ＷＳ２が指定設定格納領域３６に格納されると、対象設定格納領域４２に格納されている初期設定ＷＳ１を消去して、指定設定ＷＳ２を対象設定格納領域４２に格納する。次いで、Ｓ１２では、第１の通信部５２は、ＡＰ６と無線通信を実行するために、指定設定ＷＳ２を利用して、指定設定ＷＳ２を含む接続要求を、ＡＰ６に送信する。ＡＰ６は、接続要求を受信すると、接続要求に基づいて認証を実行する。この認証は、例えば、指定設定ＷＳ２に含まれる認証方式及び暗号化方式をＡＰ６がサポートしているのか否かに関する認証、指定設定ＷＳ２に含まれるパスワードがＡＰ６に登録されているのか否かに関する認証等を含む。ＡＰ６は、認証結果をＭＦＰ１０に送信する。
【００３７】
Ｓ１４では、第１の通信部５２は、ＡＰ６から、認証結果を受信することを監視している。ＡＰ６から認証成功を示す認証結果が受信される（Ｓ１４でＹＥＳ）と、ＭＦＰ１０とＡＰ６とは、無線接続が確立された状態となり、無線通信を実行可能となる。Ｓ１４でＹＥＳの場合、Ｓ１６に進む。一方、ＡＰ６から認証成功を示す認証結果が受信されない場合、即ち、ＡＰ６から認証失敗を示す認証結果が受信される場合と、ＡＰ６から認証結果が受信されない場合のいずれかの場合（Ｓ１４でＮＯ）、Ｓ１５において、切替部５８は、ＭＦＰ１０を、インフラストラクチャモードからアドホックモードに切り替える。具体的には、切替部５８は、対象設定格納領域４２に格納されている指定設定ＷＳ２を消去して、初期設定ＷＳ１を対象設定格納領域４２に格納する。Ｓ１５において、ＭＦＰ１０がアドホックモードに切替えられると、Ｓ３８に進む。
【００３８】
Ｓ１６では、第１の通信部５２は、インフラストラクチャモードで無線通信を実行するために、ＭＦＰ１０に付与すべきＩＰアドレスを要求するＩＰアドレス割当要求パケット（例えばＤＨＣＰ  ＤＩＳＣＯＶＥＲ）を、ブロードキャストする。ＩＰアドレス割当要求パケットは、無線通信システム２の各デバイス６，８，９によって受信される。ＤＨＣＰサーバ機能を有するＡＰ６及びルータ９は、ＩＰアドレス割当要求パケットを受信する場合、ＩＰアドレス割当要求パケットの送信元のＭＦＰ１０に付与するための候補のＩＰアドレスを含むパケット（例えばＤＨＣＰ  ＯＦＦＥＲ）を、ＭＦＰ１０に送信する。ＡＰ６及びルータ９は、さらに、自身のＩＰアドレスとして設定されているＩＰアドレスを、ＭＦＰ１０に送信する。
【００３９】
次いで、Ｓ１８では、第１の通信部５２は、ＩＰアドレス割当要求パケットの応答として、ＭＦＰ１０に付与するための候補ＩＰアドレスと、ＤＨＣＰサーバのＩＰアドレスと、を、受信する。無線通信システム２は、複数個のＤＨＣＰサーバ、即ちＡＰ６及びルータ９を備える。そのため、Ｓ１８では、第１の通信部５２は、複数の候補ＩＰアドレスとＤＨＣＰサーバのＩＰアドレスとの組合せを受信する。
【００４０】
次いで、Ｓ２０では、記憶制御部５６は、Ｓ１８で受信された複数の候補ＩＰアドレスのうち、ＩＰアドレス割当要求パケットを送信した後、最初に受信された１個の候補ＩＰアドレスを、対象設定格納領域４２に格納する。記憶制御部５６は、さらに、対象設定格納領域４２に格納される候補ＩＰアドレスに組み合わせて受信されるＤＨＣＰサーバのＩＰアドレスを、アドレス情報格納領域３９に格納する。なお、変形例では、記憶制御部５６は、ＩＰアドレス割当要求パケットを送信した後、２番目以降のいずれかで受信された１個の候補ＩＰアドレスを、対象設定格納領域４２に格納してもよい。
【００４１】
次いで、Ｓ２２では、第１の通信部５２は、対象設定格納領域４２に格納された１個の候補ＩＰアドレスを付与されたことを示すパケットである割当候補ＩＰアドレス取得要求パケット（例えばＤＨＣＰ  ＲＥＱＵＥＳＴ）を、ブロードキャストする。次いで、Ｓ２４では、第１の通信部５２は、Ｓ２２で送信されたパケットに対する応答を受信することを監視している。候補ＩＰアドレスをＭＦＰ１０に送信した送信元ＤＨＣＰサーバ（即ちＡＰ６又はルータ９）は、割当候補ＩＰアドレス取得要求パケットを受信すると、当該パケットの承認応答（例えばＤＨＣＰ  ＡＣＫ）をＭＦＰ１０に送信する。候補ＩＰアドレスの送信元ＤＨＣＰサーバ以外のデバイスは、割当候補ＩＰアドレス取得要求パケットが受信されると、当該デバイス自身のＩＰアドレスとして設定されているＩＰアドレスが、候補ＩＰアドレスと一致するのか否かを判断し、一致する場合には、当該パケットの応答として、ＩＰアドレスが重複していることを示す重複警告パケット（例えばＤＨＣＰ  ＤＥＣＬＩＮＥ）を、ＭＦＰ１０に送信する。
【００４２】
割当候補ＩＰアドレス取得要求パケットを送信してから、予め決められた期間が経過する前に、重複警告パケットが受信される場合（Ｓ２４でＮＯ）、Ｓ１６に戻り、Ｓ１６からＳ２２の処理により、再度、候補ＩＰアドレスを取得する。この場合、記憶制御部５６は、Ｓ２０で格納された候補ＩＰアドレスとＤＨＣＰサーバのＩＰアドレスとを、消去する。
【００４３】
一方、割当候補ＩＰアドレス取得要求パケットを送信してから、予め決められた期間が経過する前に、承認応答が受信され、かつ、重複警告パケットが受信されない場合（Ｓ２４でＹＥＳ）、Ｓ２６において、記憶制御部５６は、候補ＩＰアドレスを、ＭＦＰ１０に付与するＩＰアドレスとして、指定設定格納領域３６に格納する。これにより、ＭＦＰ１０には、ＭＦＰ１０がインフラストラクチャモードで利用するＩＰアドレスが設定される。
【００４４】
次いで、Ｓ２８では、切替部５８は、ＭＦＰ１０を、インフラストラクチャモードからアドホックモードに切り替える。具体的には、第１の通信部５２は、対象設定格納領域４２に格納されている指定設定ＷＳ２とＳ２０で格納されたＩＰアドレスを消去して、初期設定ＷＳ１を対象設定格納領域４２に格納する。
【００４５】
次いで、Ｓ３０では、第２の通信部５４は、初期設定ＷＳ１を利用したアドホックの無線通信を実行して、指定設定格納領域３６に格納されている指定設定ＷＳ２を、通話デバイス７０に送信する。第２の通信部５４は、さらに、アドレス情報格納領域３９に格納されているＤＨＣＰサーバのＩＰアドレスを、通話デバイス７０に送信する。通話デバイス７０は、指定設定ＷＳ２とＤＨＣＰサーバのＩＰアドレスとが受信されると、受信完了を示すパケットを、ＭＦＰ１０に送信する。
【００４６】
Ｓ３２では、第２の通信部５４は、通話デバイス７０から受信完了を示すパケットが受信されることを監視している。第２の通信部５４は、指定設定ＷＳ２等を通話デバイス７０に送信してから、予め決められた期間が経過するまでに、受信完了を示すパケットが受信されない場合（Ｓ３２でＮＯ）、Ｓ３８に進む。
【００４７】
Ｓ３８では、記憶制御部５６は、指定設定格納領域３６に格納されている指定設定ＷＳ２を消去して、無線設定処理を終了する。また、Ｓ２６において、指定設定格納領域３６にＩＰアドレスが格納されている場合、記憶制御部５６は、ＩＰアドレスも消去する。Ｓ１４でＮＯの場合、ＭＦＰ１０は、指定設定ＷＳ２を利用して、ＡＰ６と無線通信を実行することができない。また、Ｓ３２でＮＯの場合、通話デバイス７０は、指定設定ＷＳ２を受信していない可能性が高い。通話デバイス７０が指定設定ＷＳ２を受信していない場合、ＭＦＰ１０が、指定設定ＷＳ２を利用して、インフラストラクチャモードで無線通信を実行したとしても、ＭＦＰ１０は、通話デバイス７０と通信を実行することができない。このため、ＭＦＰ１０は、指定設定ＷＳ２を消去することによって、ＭＦＰ１０が、指定設定ＷＳ２を利用して、インフラストラクチャモードで無線通信を実行することを回避することができる。
【００４８】
一方、第２の通信部５４は、指定設定ＷＳ２等を通話デバイス７０に送信してから、予め決められた期間が経過する前に、受信完了を示すパケットが受信される場合（Ｓ３２でＹＥＳ）、ＣＰＵ３２は、ＭＦＰ１０をアドホックモードからインフラストラクチャモードに切り替え（Ｓ１０）、指定設定ＷＳ２を含む接続要求をＡＰ６に送信し（Ｓ１２）、認証成功を受信する（Ｓ１４）。なお、アドホックモードからインフラストラクチャモードへの切り替えでは、指定設定ＷＳ２の他に、指定設定格納領域３６に格納されているＩＰアドレスを、対象設定格納領域４２に格納する。また、今回のＳ１４では、前回のＳ１４において、既に認証が成功しているため、通常、認証成功を受信する。従って、図２中では、今回のＳ１４にてＮＯと判断されるルートを省略して表現している。
【００４９】
次いで、Ｓ３４において、Ｓ２２と同様に、第１の通信部５２は、割当候補ＩＰアドレス取得要求パケットを、ブロードキャストする。Ｓ３４では、割当候補ＩＰアドレス取得要求パケットは、対象設定格納領域４２に格納に格納されているＩＰアドレス（即ちＳ２６で指定設定格納領域３６に格納されたＩＰアドレス）を含む。この構成によれば、第１の通信部５２は、新たにＩＰアドレス割当要求パケットをブロードキャストせずに済む。また、ＭＦＰ１０のＩＰアドレスが変更されないため、ＭＦＰ１０にＩＰアドレスを付与したＤＨＣＰサーバ（即ちＡＰ６又はルータ９）は、変更されない。
【００５０】
次いで、Ｓ３６では、第１の通信部５２は、ＭＦＰ１０にＩＰアドレスを付与したＤＨＣＰサーバ（即ちＡＰ６又はルータ９）から承認応答を受信して、無線設定処理を終了する。Ｓ２４において、既に、重複警告パケットを受信することなく、承認応答を受信している。このため、Ｓ３６では、通常、Ｓ２４と同様に、第１の通信部５２は、重複警告パケットを受信することなく、承認応答を受信することができる。
【００５１】
（通話デバイス７０の無線設定処理）
続いて、図３を参照して、通話デバイス７０がＡＰ６を介したインフラストラクチャの無線通信を実行するための、通信デバイス７０が実行する無線設定処理を説明する。本処理は、通話デバイス７０の電源がＯＮにされると開始する。上述したように、ユーザが通話デバイス７０を電源ＯＮすると、通話デバイス７０は、アドホックモードに設定される。
【００５２】
Ｓ５０では、第２の通信部１０４は、指定設定ＷＳ２と、ＤＨＣＰサーバのＩＰアドレスとが、ＭＦＰ１０から受信されることを監視している。指定設定ＷＳ２と、ＤＨＣＰサーバのＩＰアドレスとが受信されると（図３のＳ５０でＹＥＳ）、Ｓ５２において、第２の通信部１０４は、受信完了を示すパケットを、ＭＦＰ１０に送信する。
【００５３】
次いで、Ｓ５４では、記憶制御部１０６は、Ｓ５０で受信された指定設定ＷＳ２を、指定設定格納領域８６に格納させる。次いで、切替部１０８は、通話デバイス７０を、アドホックモードからインフラストラクチャモードに切り替える。具体的には、切替部１０８は、対象設定格納領域９２から初期設定ＷＳ１を消去し、指定設定ＷＳ２を対象設定格納領域９２に格納する。
【００５４】
次いで、Ｓ５６では、第１の通信部１０２は、ＡＰ６と無線通信を実行するために、指定設定ＷＳ２を利用して、指定設定ＷＳ２を含む接続要求を、ＡＰ６に送信する。Ｓ５６の処理は、Ｓ１２の処理と同様である。Ｓ５８では、第１の通信部１０２は、ＡＰ６から、認証結果を受信することを監視している。ＡＰ６から認証成功を示す認証結果が受信される（Ｓ５８でＹＥＳ）と、通話デバイス７０とＡＰ６とは、無線接続が確立された状態となり、無線通信を実行可能となる。Ｓ５８でＹＥＳの場合、Ｓ６０に進む。一方、ＡＰ６から認証成功を示す認証結果が受信されない場合（Ｓ１４でＮＯ）、即ち、ＡＰ６から認証失敗を示す認証結果が受信される場合と、ＡＰ６から認証結果が受信されない場合のいずれかである場合（Ｓ５８でＮＯ）、Ｓ７４において、切替部１０８は、通信デバイス７０を、インフラストラクチャモードからアドホックモードに切り替える。具体的には、切替部１０８は、対象設定格納領域９２に格納されている指定設定ＷＳ２を消去して、初期設定ＷＳ１を対象設定格納領域９２に格納する。次に、Ｓ７６では、記憶制御部１０６は、指定設定格納領域８６に格納されている指定設定ＷＳ２を消去して、無線設定処理を終了する。
【００５５】
Ｓ６０では、第１の通信部１０２は、インフラストラクチャモードで無線通信を実行するために、通信デバイス７０に付与すべきＩＰアドレスを要求するＩＰアドレス割当要求パケット（例えばＤＨＣＰ  ＤＩＳＣＯＶＥＲ）を、ブロードキャストする。Ｓ６０で送信されたＩＰアドレス割当要求パケットは、Ｓ１６で送信されたＩＰアドレス割当要求パケットと同等に、各デバイス６，８，９によって受信される。これにより、ＤＨＣＰサーバ機能を有するＡＰ６及びルータ９は、通話デバイス７０に付与するための候補のＩＰアドレスを含むパケット（例えばＤＨＣＰ  ＯＦＦＥＲ）を、通信デバイス７０に送信する。ＡＰ６及びルータ９は、さらに、自身のＩＰアドレスとして設定されているＩＰアドレスを、通信デバイス７０に送信する。
【００５６】
次いで、Ｓ６２では、第１の通信部１０２は、ＩＰアドレス割当要求パケットの応答として、通信デバイス７０に付与するための候補ＩＰアドレスと、ＤＨＣＰサーバのＩＰアドレスと、を、受信する。そして、Ｓ６４では、第１の通信部１０２は、Ｓ６２でＤＨＣＰサーバ、即ちＡＰ６及びルータ９から受信されたＤＨＣＰサーバのＩＰアドレスと、Ｓ５０でＭＦＰ１０から受信されたＤＨＣＰサーバのＩＰアドレスと、が一致するのか否かを判断する。なお、Ｓ１８と同様に、第１の通信部１０２は、複数の候補ＩＰアドレスとＤＨＣＰサーバのＩＰアドレスとの組合せを受信する。第１の通信部１０２は、Ｓ６２において、候補ＩＰアドレスと、ＤＨＣＰサーバのＩＰアドレスとの組合せが受信される毎に、Ｓ６４の処理を実行する。
【００５７】
Ｓ６２で受信されたＤＨＣＰサーバのＩＰアドレスと、Ｓ５０で受信されたＤＨＣＰサーバのＩＰアドレスと、が一致しない場合（Ｓ６４でＮＯ）、Ｓ６２に戻る。一方、Ｓ６２で受信されたＤＨＣＰサーバのＩＰアドレスと、Ｓ５０で受信されたＤＨＣＰサーバのＩＰアドレスと、が一致する場合（Ｓ６４でＹＥＳ）、Ｓ６６において、記憶制御部１０６は、Ｓ６４でＹＥＳと判断されたＤＨＣＰサーバのＩＰアドレスと組み合わせて受信された候補ＩＰアドレスを、対象設定格納領域９２に格納する。
【００５８】
次いで、Ｓ６８では、第１の通信部１０２は、対象設定格納領域９２に格納された１個の候補ＩＰアドレスを付与されたことを示すパケットである割当候補ＩＰアドレス取得要求パケット（ＤＨＣＰ  ＲＥＱＵＥＳＴ）を、ブロードキャストする。次いで、Ｓ７０では、第１の通信部１０２は、Ｓ２４の第１の通信部５２と同様に、Ｓ６８で送信されたパケットに対する応答を受信することを監視している。候補ＩＰアドレスの送信元ＤＨＣＰサーバ（即ちＡＰ６又はルータ９）は、割当候補ＩＰアドレス取得要求パケットの応答として、承認応答を通話デバイス７０に送信する。送信元ＤＨＣＰサーバ以外のデバイスは、割当候補ＩＰアドレス取得要求パケットが受信されると、自身に付与されているＩＰアドレスが、候補ＩＰアドレスと一致するのか否かを判断し、一致する場合には、当該パケットの応答として、ＩＰアドレスが重複していることを示す重複警告パケット（ＤＨＣＰ  ＤＥＣＬＩＮＥ）を、通話デバイス７０に送信する。
【００５９】
第１の通信部１０２は、割当候補ＩＰアドレス取得要求パケットを送信してから、予め決められた期間が経過する前に、重複警告パケットが受信される場合（Ｓ７０でＮＯ）、Ｓ６０に戻る。この場合、記憶制御部５６は、Ｓ６６で格納された候補ＩＰアドレスを、消去し、Ｓ６０からＳ６８の処理により、再度、候補ＩＰアドレスを取得する。一方、第１の通信部１０２は、割当候補ＩＰアドレス取得要求パケットを送信してから、予め決められた期間が経過する前に、承認応答が受信され、かつ、重複警告パケットが受信されない場合（Ｓ７０でＹＥＳ）、Ｓ７２に進む。Ｓ７２では、記憶制御部１０６は、候補ＩＰアドレスを、通話デバイス７０に付与するＩＰアドレスとして、指定設定格納領域８６に格納して、無線設定処理を終了する。これにより、通話デバイス７０には、通話デバイス７０がインフラストラクチャモードで利用するＩＰアドレスが設定される。
【００６０】
次いで、図４，５を参照して、ＭＦＰ１０と通話デバイス７０とが、ＤＨＣＰサーバから、インフラストラクチャの無線通信のためのＩＰアドレスを取得して、インフラストラクチャモードで、ＭＦＰ１０と通話デバイス７０とが通信可能となるまでの処理について説明する。
【００６１】
ＭＦＰ１０と通話デバイス７０とが、アドホックの無線通信を実行可能である状態において、ＭＦＰ１０は、対象設定格納領域４２に格納されている初期設定ＷＳ１を消去して、指定設定ＷＳ２を対象設定格納領域４２に格納する（図２のＳ１０）。これにより、ＭＦＰ１０は、アドホックモードからインフラストラクチャモードに切り替わる。
【００６２】
ＭＦＰ１０は、ＡＰ６に接続要求を送信し（図２のＳ１２）、ＡＰ６が認証処理を実行することによって、ＡＰ６とインフラストラクチャの無線通信が実行可能となる（図２のＳ１４でＹＥＳ）。次いで、ＭＦＰ１０は、ＩＰアドレス割当要求パケットを、ブロードキャストする（図２のＳ１６）。なお、ＡＰ６は、当該ＩＰアドレス割当要求パケットを、ルータ９に転送する。ＤＨＣＰサーバ機能を有するＡＰ６とルータ９は、ＩＰアドレス割当要求パケットを受信する。ルータ９は、ＩＰアドレス割当要求パケットの応答として、ＭＦＰ１０に付与するための候補ＩＰアドレスＩＰｂと、ルータ９のアドレス情報（即ちルータ９のＩＰアドレス）ＡＤＤｂとの組合せ（以下では「第１のアドレス組合せ」と呼ぶ）を、ＭＦＰ１０に送信する。なお、ＡＰ６は、当該第１のアドレス組合せを、ＭＦＰ１０に転送する。ＡＰ６は、ルータ９と同様に、ＩＰアドレス割当要求パケットの応答として、ＭＦＰ１０に付与するための候補ＩＰアドレスＩＰａと、ＡＰ６のアドレス情報（即ちＡＰ６のＩＰアドレス）ＡＤＤａとの組合せ（以下では「第２のアドレス組合せ」と呼ぶ）を、ＭＦＰ１０に送信する。
【００６３】
ＭＦＰ１０は、ルータ９から送信された第１のアドレス組合せを受信した後、ＡＰ６から送信された第２のアドレス組合せを受信する（図２のＳ１８）。ＭＦＰ１０は、ＭＦＰ１０がＩＰアドレス割当要求パケットを送信した後、最初に受信される第１のアドレス組合せに含まれる候補ＩＰアドレスＩＰｂを、対象設定格納領域４２に格納する（図２のＳ２０）。さらに、ＭＦＰ１０は、第１のアドレス組合せに含まれるアドレス情報ＡＤＤｂを、アドレス情報格納領域３９に格納する（図２のＳ２０）。一方、ＭＦＰ１０は、ＡＰ６から受信された第２のアドレス組合せを、各格納領域３９，４２に格納しない。
【００６４】
ＭＦＰ１０は、対象設定格納領域４２に格納された候補ＩＰアドレスＩＰｂを含む割当候補ＩＰアドレス取得要求パケットを、ブロードキャストする（図２のＳ２２）。なお、ＡＰ６は、当該割当候補ＩＰアドレス取得要求パケットを、ルータ９に転送する。ルータ９は、割当候補ＩＰアドレス取得要求パケットを受信すると、ＭＦＰ１０に承認応答を送信する。なお、ＡＰ６は、当該承認応答を、ＭＦＰ１０に転送する。ＭＦＰ１０は、ルータ９から承認応答を受信すると（図２のＳ２４でＹＥＳ）、候補ＩＰアドレスＩＰｂを、ＭＦＰ１０に付与するＩＰアドレスとして、指定設定格納領域３６に格納する（図２のＳ２６）。これにより、ＭＦＰ１０には、ＭＦＰ１０のＩＰアドレスとして、ＩＰアドレスＩＰｂが設定される。ＭＦＰ１０は、ＭＦＰ１０のＩＰアドレスとしてＩＰアドレスＩＰを用いて、インフラストラクチャの無線通信を実行することができる。
【００６５】
次いで、ＭＦＰ１０は、対象設定格納領域４２に格納されている指定設定ＷＳ２と、ＩＰアドレスＩＰｂとを消去して、初期設定ＷＳ１を対象設定格納領域４２に格納する（図２のＳ２８）。これにより、ＭＦＰ１０は、インフラストラクチャモードからアドホックモードに切り替わる。
【００６６】
続いて、ＭＦＰ１０は、指定設定格納領域３６に格納されている指定設定ＷＳ２と、アドレス情報格納領域３９に格納されているアドレス情報ＡＤＤｂ（即ちルータ９のＩＰアドレス）と、を、通話デバイス７０に送信する（図２のＳ３０）。通話デバイス７０は、初期設定ＷＳ１が対象設定格納領域９２に格納されている状態（即ちアドホックモード）で維持されている。このため、通話デバイス７０は、ＭＦＰ１０から、指定設定ＷＳ２とアドレス情報ＡＤＤｂとを受信することができる。通話デバイス７０は、指定設定ＷＳ２とアドレス情報ＡＤＤｂとを受信する（図３のＳ５０でＹＥＳ）と、受信完了を、ＭＦＰ１０に送信する（図３のＳ５２）。
【００６７】
ＭＦＰ１０は、指定設定ＷＳ２とアドレス情報ＡＤＤｂとに対する受信完了を受信すると、図２のＳ３２でＹＥＳと判断する。ＭＦＰ１０は、ＭＦＰ１０がインフラストラクチャモードである状態で、ルータ９からアドレス情報ＡＤＤｂを受信した後で、インフラストラクチャモードからアドホックモードに切り替えて、アドレス情報ＡＤＤｂを、通話デバイス７０に送信する。この構成によれば、ＭＦＰ１０は、インフラストラクチャモードとアドホックモードとを、適切に切り替えることができる。なお、変形例では、ＭＦＰ１０は、指定設定ＷＳ２を、通話デバイス７０に送信し、指定設定ＷＳ２に対する受信完了を、通話デバイス７０から受信してもよい。そして、ＭＦＰ１０は、アドレス情報ＡＤＤｂを、通話デバイス７０に送信し、アドレス情報ＡＤＤｂに対する受信完了を、通話デバイス７０から受信してもよい。この場合、ＭＦＰ１０は、指定設定ＷＳ２に対する受信完了及びアドレス情報ＡＤＤｂに対する受信完了を受信すると、図２のＳ３２でＹＥＳと判断してもよい。
【００６８】
ＭＦＰ１０は、対象設定格納領域４２に格納されている初期設定ＷＳ１を消去して、指定設定ＷＳ２を対象設定格納領域４２に格納する（図２のＳ１０）。これにより、ＭＦＰ１０は、アドホックモードからインフラストラクチャモードに切り替わる。次いで、ＭＦＰ１０は、ＡＰ６に接続要求を送信し（図２のＳ１２）、ＡＰ６と認証処理を実行し、ＡＰ６とインフラストラクチャの無線通信が実行可能となる（図２のＳ１４でＹＥＳ）。この構成では、ＭＦＰ１０が、インフラストラクチャモードからアドホックモードに切り替えられ、指定設定ＷＳ２とアドレス情報ＡＤＤｂとを送信した後で、アドホックモードからインフラストラクチャモードに切り替えられる。この構成によれば、ＭＦＰ１０は、通話デバイス７０に、指定設定ＷＳ２とアドレス情報ＡＤＤｂとのそれぞれを送信する毎に、ＭＦＰ１０のモードを切り替えないで済む。
【００６９】
次いで、ＭＦＰ１０は、対象設定格納領域４２に格納されているＩＰアドレスＩＰｂを含む割当候補ＩＰアドレス取得要求パケットを、ブロードキャストする（図２のＳ３４）。なお、ＡＰ６は、当該割当候補ＩＰアドレス取得要求パケットを、ルータ９に転送する。このとき、ＭＦＰ１０は、割当候補ＩＰアドレス取得要求パケットをブロードキャストする前に、ＩＰアドレス割当要求パケットをブロードキャストしない。この構成によれば、無線通信システム２の通信負荷を低減することができる。
【００７０】
ルータ９は、割当候補ＩＰアドレス取得要求パケットを受信すると、ＭＦＰ１０に承認応答を送信する。ＭＦＰ１０は、ルータ９から承認応答を受信する（図２のＳ３６）。なお、ＡＰ６は、当該承認応答を、ＭＦＰ１０に転送する。この構成によれば、ＭＦＰ１０は、通話デバイス７０にルータ９のアドレス情報ＡＤＤｂを送信する前に付与されたＩＰアドレスＩＰｂを用いて、インフラストラクチャの無線通信を実行することができる。このため、ＭＦＰ１０にＩＰアドレスを付与するＤＨＣＰサーバが、ルータ９から他のＤＨＣＰサーバに変更されることを回避することができる。
【００７１】
なお、通話デバイス７０は、受信完了をＭＦＰ１０に送信する（図３のＳ５２）と、対象設定格納領域４２に格納されている初期設定ＷＳ１を消去して、指定設定ＷＳ２を対象設定格納領域４２に格納する（図３のＳ５４）。これにより、通話デバイス７０は、アドホックモードからインフラストラクチャモードに切り替わる。次いで、通話デバイス７０は、ＡＰ６に接続要求を送信することで（図３のＳ５６）、ＡＰ６は、認証処理を実行し、ＡＰ６とインフラストラクチャの無線通信が実行可能となる（図３のＳ５８でＹＥＳ）。
【００７２】
通話デバイス７０は、ＩＰアドレス割当要求パケットを、ブロードキャストする（図３のＳ６０）。なお、ＡＰ６は、当該ＩＰアドレス割当要求パケットを、ルータ９に転送する。ＤＨＣＰサーバ機能を有するＡＰ６とルータ９は、ＩＰアドレス割当要求パケットを受信する。ＡＰ６は、ＩＰアドレス割当要求パケットの応答として、通信デバイス７０に付与するための候補ＩＰアドレスＩＰｃと、ＡＰ６のアドレス情報（即ちＡＰ６のＩＰアドレス）ＡＤＤａとの組合せを、通話デバイス７０に送信する。
【００７３】
通話デバイス７０は、受信されたアドレス情報ＡＤＤａと、ＭＦＰ１０から受信されたアドレス情報ＡＤＤｂとが一致しないため（図３のＳ６４でＮＯ）、候補ＩＰアドレスＩＰｃを、対象設定格納領域９２及び指定設定格納領域８６に格納しない。このため、候補ＩＰアドレスＩＰｃは、通話デバイス７０のＩＰアドレスとして付与されない。
【００７４】
ルータ９は、ＡＰ６と同様に、ＩＰアドレス割当要求パケットの応答として、通信デバイス７０に付与するための候補ＩＰアドレスＩＰｄと、ルータ９のアドレス情報（即ちルータ９のＩＰアドレス）ＡＤＤｂとの組合せを、通信デバイス７０に送信する。なお、ＡＰ６は、当該候補ＩＰアドレスＩＰｄとルータ９のアドレス情報ＡＤＤｂとの組合せを、通信デバイス７０に転送する。通話デバイス７０は、受信されたアドレス情報ＡＤＤｂと、ＭＦＰ１０から受信されたアドレス情報ＡＤＤｂとが一致するため（図３のＳ６４でＹＥＳ）、候補ＩＰアドレスＩＰｄを、対象設定格納領域９２に格納する。
【００７５】
次いで、通話デバイス７０は、対象設定格納領域４２に格納されているＩＰアドレスＩＰｄを含む割当候補ＩＰアドレス取得要求パケットを、ブロードキャストする（図３のＳ６８）。なお、ＡＰ６は、当該割当候補ＩＰアドレス取得要求パケットを、ルータ９に転送する。ルータ９は、割当候補ＩＰアドレス取得要求パケットを受信すると、通話デバイス７０に承認応答を送信する。なお、ＡＰ６は、当該承認応答を、通信デバイス７０に転送する。通話デバイス７０は、ルータ９から承認応答を受信すると（図３のＳ７０でＹＥＳ）、候補ＩＰアドレスＩＰｄを、通話デバイス７０に付与するＩＰアドレスとして、指定設定格納領域８６に格納する（図３のＳ７２）。これにより、通話デバイス７０には、通話デバイス７０のＩＰアドレスとして、ＩＰアドレスＩＰｄが設定される。通話デバイス７０は、通話デバイス７０のＩＰアドレスとしてＩＰアドレスＩＰｄを用いて、インフラストラクチャの無線通信を実行することができる。
【００７６】
通話デバイス７０は、通話デバイス７０がアドホックモードである状態で、ＭＦＰ１０からアドレス情報ＡＤＤｂを受信した後で、アドホックモードからインフラストラクチャモードに切り替えて、ＤＨＣＰサーバから、候補ＩＰアドレスを受信する。この構成によれば、通話デバイス７０は、インフラストラクチャモードとアドホックモードとを、適切に切り替えることができる。
【００７７】
また、通話デバイス７０は、ＩＰアドレス割当要求パケットを送信した後、最初に、ＡＰ６から候補ＩＰアドレスＩＰｃを受信し、次いで、ルータ９から候補ＩＰアドレスＩＰｄを受信する。通話デバイス７０は、ＡＰ６のアドレス情報ＡＤＤａが、ＭＦＰ１０から受信されたアドレス情報ＡＤＤｂと一致しないため、候補ＩＰアドレスＩＰｃを、指定設定格納領域８６に格納しない、一方、通話デバイス７０は、ルータ９のアドレス情報ＡＤＤｂが、ＭＦＰ１０から受信されたアドレス情報ＡＤＤｂと一致するため、候補ＩＰアドレスＩＰｄを、通話デバイス７０に付与するＩＰアドレスとして、指定設定格納領域８６に格納する（図３のＳ７２）。この構成によれば、通話デバイス７０は、ＭＦＰ１０にＩＰアドレスＩＰｂを付与したルータ９から、ＩＰアドレスＩＰｄを取得することができる。
【００７８】
（本実施例の効果）
ＭＦＰ１０は、ＭＦＰ１０がＩＰアドレスＩＰｂを取得したＤＨＣＰサーバであるルータ９のアドレス情報ＡＤＤｂを、通話デバイス７０に送信する。この構成によれば、ＭＦＰ１０は、ＭＦＰ１０に付与されるＩＰアドレスＩＰｂの送信元のＤＨＣＰサーバを、通話デバイス７０に知らせることができる。通話デバイス７０は、アドレス情報ＡＤＤｂを用いて、ＭＦＰ１０に付与されるＩＰアドレスＩＰｂの送信元のＤＨＣＰサーバを、特定することができる。通話デバイス７０は、ＭＦＰ１０から受信されたアドレス情報ＡＤＤｂで特定されるＤＨＣＰサーバであるルータ９から受信されるＩＰアドレスＩＰｄを、通話デバイス７０のＩＰアドレスとして付与する。この構成によれば、同一のＤＨＣＰサーバから、ＭＦＰ１０と通話デバイス７０に、ＩＰアドレスを付与することができる。
【００７９】
例えば、無線通信システム２において、ＡＰ６がＩＰアドレス割当要求パケットの応答として送信するＩＰアドレス（例えば１９２．１６８．２．ＸＸ）のネットワークアドレス（例えば１９２．１６８．２．０）が、ルータ９がＩＰアドレス割当要求パケットの応答として送信するＩＰアドレス（例えば１９２．１１１．ＹＹ．ＺＺ）のネットワークアドレス（例えば１９２．１１１．０．０）と異なる状況がある。この状況において、ルータ９から受信されたＩＰアドレス（例えば１９２．１１１．ＹＹ．ＺＺ）が、ＭＦＰ１０に付与される一方、ＡＰ６から受信されたＩＰアドレス（例えば１９２．１６８．２．ＸＸ）が、通話デバイス７０に付与される場合、ＭＦＰ１０と通話デバイス７０とは異なるネットワークに属する事態が生じる。この場合、ＭＦＰ１０と通話デバイス７０とは、インフラストラクチャの無線通信が実行できない可能性がある。
【００８０】
本実施例では、ＭＦＰ１０と通話デバイス７０とは、同一のＤＨＣＰサーバから、各デバイスに付与すべきＩＰアドレスを取得することができるため、ＭＦＰ１０と通話デバイス７０とに、同一のネットワークアドレスを有するＩＰアドレスを付与することができる。このため、ＭＦＰ１０と通話デバイス７０とは、インフラストラクチャの無線通信が実行できない可能性を低減することができる。
【００８１】
（対応関係）
ＭＦＰ１０が「通信装置」の一例である場合、通話デバイス７０が「特定の通信装置」の一例である。通話デバイス７０が「通信装置」の一例である場合、ＭＦＰ１０が「特定の通信装置」の一例である。インフラストラクチャの無線通信が「第１の通信経路を介した通信」の一例であり、アドホックの無線通信が「第２の通信経路を介した通信」の一例である。ＡＰ６、ルータ９のそれぞれが、「サーバ」の一例であり、ルータ９が「１つサーバ」の一例である。ＡＰ６が「第１のサーバ」の一例であり、ルータ９が「第２のサーバ」の一例である。アドレス情報ＡＤＤａ，ＡＤＤｂのそれぞれが、「アドレス情報」の一例であり、アドレス情報ＡＤＤｂが、「特定のアドレス情報」の一例である。ＩＰアドレスＩＰｂが「特定のＩＰアドレス」の一例である。ＩＰアドレスＩＰｃが「第１のＩＰアドレス」の一例であり、ＩＰアドレスＩＰｄが「第２のＩＰアドレス」の一例である。
【００８２】
ＭＦＰ１０が「通信装置」の一例である場合、ＭＦＰ１０がインフラストラクチャモードである場合が「第１の通信状態」の一例であり、ＭＦＰ１０がアドホックモードである場合が「第２の通信状態」の一例である。通話デバイス７０が「通信装置」の一例である場合、通話デバイス７０がインフラストラクチャモードである場合が「第１の通信状態」の一例であり、通話デバイス７０がアドホックモードである場合が「第２の通信状態」の一例である。割当候補ＩＰアドレス取得要求が、「特定のＩＰアドレスを付与されたことを示す情報」の一例であり、ＩＰアドレス割当要求が、「アドレス情報を送信させるための信号」の一例である。指定設定ＷＳ２が、「設定情報」の一例である。
【００８３】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。例えば、以下の変形例を採用してもよい。
【００８４】
（変形例１）上記の実施例では、ＭＦＰ１０の第１通信部５２は、ＩＰアドレス割当要求の応答として、ＭＦＰ１０に付与すべきＩＰアドレスの他に、ＤＨＣＰサーバのＩＰアドレスを受信する（図２のＳ１８参照）。記憶制御部５６は、受信されたＤＨＣＰサーバのＩＰアドレスを、アドレス情報格納領域３９に格納する（図２のＳ２０）。しかしながら、第１通信部５２は、ＩＰアドレス割当要求の応答として、ＤＨＣＰサーバのＩＰアドレスと共に、あるいは、これに替えて、ＤＨＣＰサーバのＭＡＣアドレス、ネットワークアドレス、の少なくとも１個を受信してもよい。この場合、記憶制御部５６は、ＤＨＣＰサーバから受信されるＭＡＣアドレス等の少なくとも１個を、アドレス情報格納領域３９に格納してもよい。本変形例では、ＤＨＣＰサーバから送信されるＤＨＣＰサーバのＩＰアドレスと、ＤＨＣＰサーバのＭＡＣアドレスと、ＤＨＣＰのネットワークアドレスの少なくとも１個のうち、アドレス情報格納領域３９に格納されるアドレスが、「アドレス情報」の一例である。
【００８５】
（変形例２）第１通信部５２は、ＩＰアドレス割当要求の応答として、ＭＦＰ１０に付与すべきＩＰアドレスのサブネットマスクを、ＤＨＣＰサーバから受信してもよい。この場合、記憶制御部５６は、受信されたＭＦＰ１０に付与すべきＩＰアドレスとサブネットマスクとから、ＤＨＣＰサーバのネットワークアドレスを特定し、特定されたネットワークアドレスを、アドレス情報格納領域３９に格納してもよい。本変形例では、ＤＨＣＰサーバのネットワークアドレスが、「アドレス情報」の一例である。なお、本変形例では、記憶制御部５６は、受信されたＭＦＰ１０に付与すべきＩＰアドレスとサブネットマスクとの両方を、アドレス情報格納領域３９に格納してもよい。この場合、第１の通信部５２は、アドレス情報格納領域３９に格納されているＭＦＰ１０に付与すべきＩＰアドレスとサブネットマスクとの両方を、通話デバイス７０に送信してもよい。本変形例では、サブネットマスクが「アドレス情報」の一例である。
【００８６】
なお、通話デバイス７０は、ＭＦＰ１０に付与すべきＩＰアドレスとサブネットマスクとの両方が受信される場合、ＭＦＰ１０に付与すべきＩＰアドレスとサブネットマスクとを用いて、ＤＨＣＰサーバのネットワークアドレスを特定してもよい。そして、通話デバイス７０の記憶制御部１０６は、特定されたネットワークアドレスと一致するネットワークアドレスを有するＤＨＣＰサーバから受信されるＩＰアドレスを、通話デバイス７０のＩＰアドレスとして、指定設定格納領域８６に格納してもよい。
【００８７】
（変形例３）上記の実施例では、第１の通信部５２は、ＤＨＣＰサーバから、ＭＦＰ１０に付与すべきＩＰアドレスと、ＤＨＣＰサーバのＩＰアドレスとの組合せを受信する（図２のＳ１８参照）。しかしながら、第１の通信部５２は、ＤＨＣＰサーバから、ＭＦＰ１０に付与すべきＩＰアドレスと、ＤＨＣＰサーバのＩＰアドレスとを、同時的に受信しなくてもよい。例えば、第１の通信部５２は、図２のＳ１８において、ＭＦＰ１０に付与すべきＩＰアドレスを受信してもよい。そして、第１の通信部５２は、例えば、図２のＳ２４において、承認応答を受信すると共に、ＤＨＣＰサーバのＩＰアドレスを受信してもよい。一般的には、第１の通信部は、第１の通信経路を介して、複数のサーバのそれぞれから、当該サーバに関係するアドレス情報と、通信装置に付与するためのＩＰアドレスと、を受信するが、アドレス情報とＩＰアドレスとの受信タイミングは、同時的でもよいし、連続的でもよいし、断続的でもよい。
【００８８】
（変形例４）上記の実施例では、第１の通信部５２は、ＤＨＣＰサーバから、ＭＦＰ１０に付与すべきＩＰアドレスと、ＤＨＣＰサーバのＩＰアドレスとを受信すると（図２のＳ１８参照）、割当候補ＩＰアドレス取得要求を、ブロードキャストする（図２のＳ２２参照）。しかしながら、第１の通信部５２は、このタイミングで、割当候補ＩＰアドレス取得要求をブロードキャストしなくてもよい。この場合、記憶制御部５６は、図２のＳ１８で受信されたＤＨＣＰサーバのＩＰアドレスを、メモリ３４に格納し、ＭＦＰ１０に付与すべきＩＰアドレスを、メモリ３４に格納しなくてもよい。そして、第１の通信部５２は、図２のＳ１８で受信されたＤＨＣＰサーバのＩＰアドレスが、通話デバイス７０に送信され（図２のＳ３０参照）、かつ、アドホックモードからインフラストラクチャモードに切り替えられた後に、ＩＰアドレス割当要求を、ブロードキャストしてもよい。記憶制御部５６は、ＩＰアドレス割当要求の応答として、ＭＦＰ１０に付与すべきＩＰアドレスと、ＤＨＣＰサーバのＩＰアドレスとが、複数のＤＨＣＰサーバから受信されると、メモリ３４に格納されているＤＨＣＰサーバのＩＰアドレスに一致するＩＰアドレスのＤＨＣＰサーバから送信されるＩＰアドレスを、ＭＦＰ１０に付与するＩＰアドレスとして、メモリ３４に格納してもよい。
【００８９】
（変形例５）上記の実施例では、ＭＦＰ１０は、インフラストラクチャの無線通信と、アドホックの無線通信とを並行して実行可能であってもよい。例えば、ＭＦＰ１０は、複数の無線インターフェースを備えていてもよい。この場合、ＭＦＰ１０は、複数の無線インターフェースのうちの第１の無線インターフェースを用いて、インフラストラクチャの無線通信を実行し、複数の無線インターフェースのうちの第２の無線インターフェースを用いて、アドホックの無線通信を実行してもよい。この場合、ＭＦＰ１０は、インフラストラクチャモードとアドホックモードとを切り替えなくてもよい。
【００９０】
（変形例６）上記の実施例では、第１の通信部５２は、図２のＳ１８で受信されたＤＨＣＰサーバのＩＰアドレスが、通話デバイス７０に送信され（図２のＳ３０参照）、かつ、アドホックモードからインフラストラクチャモードに切り替えられた後、ＩＰアドレス割当要求をブロードキャストせずに、割当候補ＩＰアドレス取得要求をブロードキャストする（図２のＳ３４）。しかしながら、第１の通信部５２は、図２のＳ１８で受信されたＤＨＣＰサーバのＩＰアドレスが、通話デバイス７０に送信され（図２のＳ３０参照）、かつ、アドホックモードからインフラストラクチャモードに切り替えられた後、ＩＰアドレス割当要求をブロードキャストしてもよい。この場合、記憶制御部５６は、ＩＰアドレス割当要求の応答として、受信されたＩＰアドレスを、メモリ３４に格納しなくてもよい。第１の通信部５２は、図２のＳ２６でメモリ３４に格納されたＩＰアドレスを含む割当候補ＩＰアドレス取得要求をブロードキャストしてもよい。
【００９１】
（変形例７）ＭＦＰ１０は、有線ＬＡＮを介して、ＤＨＣＰサーバからＩＰアドレスを受信してもよい。本変形例では、有線ＬＡＮが「第１の通信経路」の一例である。あるいは、ＭＦＰ１０は、有線ＬＡＮを介して、通話デバイス７０と通信を実行してもよい。本変形例では、有線ＬＡＮが「第２の通信経路」の一例である。第１の通信経路を介した通信と第２の通信経路を介した通信とは、通信を実行する際に、通信装置が用いる設定情報が異なる通信であってもよい。あるいは、第１の通信経路を介した通信と第２の通信経路を介した通信とは、通信装置が通信を実行する際に用いられるインターフェースが異なる通信であってもよい。
【００９２】
（変形例８）「通信装置」は、ＭＦＰ１０以外に、プリンタ、スキャナ、携帯端末等であってもよい。また、「通信装置」は、通話デバイス７０以外に、プリンタ、スキャナ、携帯端末等であってもよい。
【００９３】
（変形例９）また、上記の実施例では、ＭＦＰ１０の各部５２〜５８は、ＣＰＵ３２がプログラム４４を実行することによって実現される。これに代えて、各部５２〜５８のうちの少なくとも一部は、論理回路等のハードウェアによって実現されてもよい。同様に、上記の実施例では、通話デバイス７０の各部１０２〜１０８は、ＣＰＵ８２がプログラム９６を実行することによって実現される。これに代えて、各部１０２〜１０８のうちの少なくとも一部は、論理回路等のハードウェアによって実現されてもよい。
【００９４】
また、本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成するものであり、そのうちの一つの目的を達成すること自体で技術的有用性を持つものである。
【符号の説明】
【００９５】
２：無線通信システム、６：アクセスポイント、７：ＦＡＸ通信システム、９：ルータ、１０：ＭＦＰ、３６：指定設定格納領域、３８：初期設定格納領域、３９：アドレス情報格納領域、４２：対象設定格納領域、５２：第１の通信部、５４：第２の通信部、５６：記憶制御部、５８：切替部、７０：通話デバイス、８６：指定設定格納領域、８８：初期設定格納領域、９２：対象設定格納領域、１０２：第１の通信部、１０４：第２の通信部、１０６：記憶制御部、１０８：切替部
【図１】
2014072655.tif 000003
【図２】
2014072655.tif 000004
【図３】
2014072655.tif 000005
【図４】
2014072655.tif 000006
【図５】
2014072655.tif 000007